(57)【要約】【課題】放射性物質を含む土壌を洗浄した後の放射性物質を含む土壌細粒及び粘土シルトを含む放射能汚染水（泥水）に添加することで、放射性物質を含む土壌を洗浄した後の放射性物質を含む土壌細粒及び粘土シルトを含む放射能汚染水（泥水）中の、放射性物質を含む土壌細粒及び粘土シルトを共沈させるとともに、放射性物質を含む土壌を洗浄した後の放射性物質を含む土壌細粒及び粘土シルトを含む放射能汚染水（泥水）中の放射性物質を吸着することができる凝集沈降剤を提供する。【解決手段】主成分として、０．５ｍｍ以下の粒径を有するブライオゾーアを含む。【選択図】無し。【特許請求の範囲】
【請求項１】
放射性物質を含む土壌を洗浄した後の放射性物質を含む土壌細粒及び粘土シルトを含む放射能汚染水に添加することで、放射性物質を含む土壌を洗浄した後の放射性物質を含む土壌細粒及び粘土シルトを含む放射能汚染水（泥水）中の放射性物質を吸着するとともに、放射性物質を含む土壌を洗浄した後の放射性物質を含む土壌細粒及び粘土シルトを含む放射能汚染水中の、放射性物質を含む土壌細粒及び粘土シルトを共沈させることができる凝集沈降剤であって、主成分として、０．５ｍｍ以下の粒径のブライオゾーアを含む、凝集沈降剤。
【請求項２】
天然鉱物の複合アルミナ珪酸塩を主剤とする無機中性凝集剤を更に含む、請求項１に記載の凝集沈降剤。
【請求項３】
０．５ｍｍ以下の粒径のマイカ成分を更に含む、請求項１又は請求項２に記載の凝集沈降剤。
【請求項４】
前記マイカ成分が、バーミキュライトである、請求項１〜３のいずれかに記載の凝集沈降剤。
【請求項５】
放射性物質を含む土壌を水で洗浄し、
水で洗浄後の土壌中の放射性物質が除去された無害な礫及び／又は砂は、土中に埋め戻し、
放射性物質を含む土壌を洗浄した後の放射性物質を含む土壌細粒及び粘土シルトを含む放射能汚染水に、請求項１〜４のいずれかに記載の凝集沈降剤を添加し、
放射性物質を含む土壌を洗浄した後の放射性物質を含む土壌細粒及び粘土シルトを含む放射能汚染水中の放射性物質を、請求項１〜４のいずれかに記載の凝集沈降剤に吸着させるとともに、放射性物質を吸着した請求項１〜４のいずれかに記載の凝集沈降剤と放射性物質を含む土壌細粒及び粘土シルトとを共沈させ、
放射性物質を安全基準以下の値に調整した水と、
放射性物質を含む土壌を洗浄した後の放射性物質を含む土壌細粒及び粘土シルトを含む放射能汚染水中の放射性物質を、請求項１〜４のいずれかに記載の凝集沈降剤に吸着させるとともに、放射性物質を吸着した請求項１〜４のいずれかに記載の凝集沈降剤と放射性物質を含む土壌細粒及び粘土シルトとの共沈物とに分離するようにした、放射性物質を含む土壌の除染方法。
【請求項６】
前記放射性物質を吸着した請求項１〜４のいずれかに記載の凝集沈降剤と放射性物質を含む土壌細粒及び粘土シルトとの共沈物を、密閉保管処理するようにした、請求項５に記載の放射性物質を含む土壌の除染方法。
【請求項７】
前記放射性物質を安全基準以下の値に調整した水を、前記放射性物質を含む土壌を洗浄する水として再利用する、請求項５又は請求項６に記載の放射性物質を含む土壌の除染方法。
【発明の詳細な説明】
【技術分野】
【０００１】
本発明は、放射性物質を含む土壌を洗浄した後の放射性物質を含む土壌細粒及び粘土シルトを含む放射能汚染水（泥水）に添加することで、放射性物質を含む土壌を洗浄した後の放射性物質を含む土壌細粒及び粘土シルトを含む放射能汚染水（泥水）中の、放射性物質を含む土壌細粒及び粘土シルトを共沈させるとともに、放射性物質を含む土壌を洗浄した後の放射性物質を含む土壌細粒及び粘土シルトを含む放射能汚染水（泥水）中の放射性物質を吸着することができる凝集沈降剤、及び、この凝集沈降剤を用いた、放射性物質を含む土壌の除染方法に関する。
【背景技術】
【０００２】
東日本大震災に伴う福島第一原子力発電所の事故の影響で、福島県を中心とした広範囲の地域が放射性物質で汚染された。
【０００３】
これらの地域では、土壌から放射性物質を含む表土を剥ぎ取り、剥ぎ取った放射性物質を含む表土を、そのまま、仮置き場や中間処分場に保管したり、また、放射性物質を含む土壌を水で洗浄したりしている。
【０００４】
しかしながら、土壌から放射性物質を含む表土（土砂）を剥ぎ取り、剥ぎ取った放射性物質を含む表土（土砂）を仮置き場や中間処分場に保管するには、広大なスペースが必要になる、という問題や、剥ぎ取った、大量の放射性物質を含む表土（土砂）を仮置き場や中間処分場に運搬する運搬費用がかさむ、という問題がある。
【０００５】
また、仮置き場や中間処分場に保管した、放射性物質を含む表土（土砂）から仮置き場や中間処分場の周辺に放射性物質が漏れ出て、仮置き場や中間処分場の周辺が放射性物質で汚染される虞がある、という問題がある。
【０００６】
また、福島第一原子力発電所から放出され土壌に降下した、セシウム１３７（Ｃｓ１３７）やセシウム１３４（Ｃｓ１３４）は粘土鉱物（土壌細粒及び粘土シルト中の、主に、雲母）と不可逆的に結合して、土壌の表層（表土）から５ｃｍ以内にとどまっている。
【０００７】
放射性物質を含む土壌を水で洗浄した場合、放射性物質を含む土壌を洗浄した後の放射性物質を含む土壌細粒及び粘土シルトを含む放射能汚染水（泥水）が、地下水、池、湖、沼、河川及び海へと流れ出て、地下水、池、湖、沼、河川及び海へ放射性物質の汚染が広がる、という問題がある。
【０００８】
放射性物質を含有する土壌の除染方法としては、例えば、（ａ）放射性物質で汚染された砂及び粘土を含む土壌と、液体アンモニア（アンモニア性液体）とを混合し、アンモニア−放射性物質含有土壌分散液又はスラリーを形成する段階と、（ｂ）段階（ａ）のスラリー又は分散液から土壌粒子を選択的に沈殿させ、液体アンモニアに分散した土壌細粒を含む上部液−固相を形成しながら、土壌粒子の下部固相を形成する段階と、（ｃ）上部液−固相を土壌粒子の下部固相から分離し、上部液−固相の細粒が放射性核種汚染物質の大半を含むようにし、換言するならば、土壌粒子を再生できるように下部固相から核廃棄物を十分に除去する段階と、（ｄ）核廃棄物を含む土壌細粒を廃棄又は付加処理するために、前記細粒からアンモニア性液体を分離する段階とを含む、有害金属を含有する土壌の除染方法が、既に、提案されている。
【０００９】
この土壌の除染方法によれば、放射性物質を土壌細粒に濃縮することにより、未処理土壌の貯蔵に通常必要なスペース要件と運搬経費を有意に低減することができる。
【００１０】
また、放射性物質を含有する土壌の除染方法としては、例えば、排除されるべき１つ以上の放射性化学元素を含む液体排出物の除染方法であって、次の工程：−反応器の第１の区域における撹拌された流動床中で、共沈および／または吸着および／またはイオン交換によって、液体排出物を、放射性化学元素を捕捉および保持できる固体粒子と接触させる工程であって、その結果、放射性化学元素を含有する固体粒子の懸濁液が得られる工程；−上述の第１の区域とは離れている同じ反応器の第２の区域において、懸濁液を沈降させる工程であって、その結果として排除されるべき放射性化学元素を含有する固体粒子を含む固相と、排除されるべき放射性化学元素の含有量が低減したまたはゼロになった液相とが得られる工程；および−固相および液相の分離工程を含む方法が、既に、提案されている。
【００１１】
また、放射性物質を含有する土壌の除染方法としては、例えば、放射性セシウムに汚染された土壌を掘削し、掘削した放射性セシウム汚染土壌を水で洗浄し、水で洗浄後の土壌中の放射性セシウムが除去された無害土砂は、土中に埋め戻し、放射性物質を含む土壌を洗浄した後の放射性物質を含む土壌細粒及び粘土シルトを含む放射能汚染水（泥水）を原水ポンプで攪拌・沈殿ユニットに搬送し、攪拌・沈殿ユニットで、攪拌・沈殿ユニットに収容された、放射性物質を含む土壌細粒及び粘土シルトを含む放射性セシウム汚染水（泥水）に、ネオナイト（凝集剤）（「ネオナイト」は、商標権者：寺山隆久氏の登録商標である。）（「ネオナイト」は、ゼオライト等天然鉱物を主原料にしている凝集剤である。）を投入し、攪拌・沈殿ユニットで、放射性物質を含む土壌細粒及び粘土シルトを含む放射性セシウム汚染水（泥水）とネオナイト（凝集剤）とを攪拌し、ネオナイトに、放射性セシウムを吸着させた後、放射性セシウムを吸着したネオナイト（凝集剤）及び放射性物質を含む土壌細粒及び粘土シルトを沈殿ユニットにて凝集沈降させ、放射性セシウム汚染水中から放射性セシウムを分離した後に、濾布脱水ユニットで、放射性セシウムを吸着したネオナイト（凝集剤）及び放射性物質を含む土壌細粒及び粘土シルトの脱水処理を行い、脱水後の固形物（放射性セシウムを吸着したネオナイト（凝集剤）及び放射性物質を含む土壌細粒及び粘土シルト）は、現場にて安全基準に基づき、密閉保管処理し、除染後の処理水は、放流槽で分析確認後、放流するようにする、ネオナイト工法（「ネオナイト」は、商標権者：株式会社ネオナイトの登録商標である。）が、既に、提案されている。
【００１２】
ネオナイト（凝集剤）の主原料であるゼオライト（沸石）は、二酸化ケイ素からなる骨格を基本とし、一部のケイ素がアルミニウムに置き換わることにより、結晶格子全体が負に帯電し、そのため、微細孔内にナトリウムなどのカチオンを含み、電荷のバランスがとられた鉱石であり、ゼオライト（沸石）は、セシウム（Ｃｓ）を、可逆的なイオン交換・吸着する。
【００１３】
この土壌の除染方法では、放射性物質を土壌細粒に濃縮することにより、未処理土壌の貯蔵に通常必要なスペース要件と運搬経費を有意に低減することができる。
【００１４】
また、この土壌の除染方法によれば、放射性物質を含有する土壌の除染に用いた除染後の処理水は、放流槽で分析確認後、放流するようにしているので、放射性物質が、地下水、池、湖、河川及び海へと流れ出て、地下水、池、湖、沼、河川及び海へ放射性物質の汚染が広がる、という問題が無い。
【００１５】
また、この土壌の除染方法では、ゼオライト等天然鉱物を主原料にしている凝集剤（ネオナイト）を用いているので、ＰＡＣ（ポリ塩化アルミニウム）等の凝集剤（化学品）を用いた場合に比べ、環境に与える負荷が少ない。
【００１６】
ところで、産業活動の活発化による工業廃水、人口集中による生活廃水等が作り出すヘドロ、重金属類（カドミウム、六価クロム、水銀、セレン、鉛、砒素等）、アンモニア、メタン、硫化水素、シアン化合物、フッ素等で汚染された、湖沼・海水・河川から、これらの汚染物質を除去する凝集沈降剤として、採掘したブライオゾーア化石塊を、５ｍｍ以下に粉体加工した凝集沈降剤、及び、採掘したブライオゾーア化石塊を、５ｍｍ以下に粉体加工し、５ｍｍ以下に粉体加工したブライオゾーア化石に、天然鉱物の無機中性凝集剤（天然鉱物の複合アルミナ珪酸塩を主剤とする無機中性凝集剤）を混合した凝集沈降剤が、既に、提案されている。
【００１７】
ブライオゾーア化石は、単なるイオン交換作用ではなく、重金属類（カドミウム、六価クロム、水銀、セレン、鉛、砒素等）を不溶性物質として固定化する。
【先行技術文献】
【特許文献】
【００１８】
【特許文献１】特表平１０−５０５９０２号公報
【特許文献２】特表平１０−５０５９０３号公報
【特許文献３】特表２０１２−５０７０００号公報
【特許文献４】特開２０００−１７６２０５号公報
【特許文献５】特開２００３−３８９４６号公報
【非特許文献】
【００１９】
【非特許文献１】ホームページアドレス：http://neonite.jp/08rad/tablet.html
【発明の概要】
【発明が解決しようとする課題】
【００２０】
本発明は、例えば、放射性セシウム等の放射性物質を含む土壌を洗浄した後の放射性物質を含む土壌細粒及び粘土シルトを含む放射能汚染水（泥水）に添加することで、放射性物質を含む土壌を洗浄した後の放射性物質を含む土壌細粒及び粘土シルトを含む放射能汚染水（泥水）中の、放射性物質を含む土壌細粒及び粘土シルトを共沈させるとともに、放射性物質を含む土壌を洗浄した後の放射性物質を含む土壌細粒及び粘土シルトを含む放射能汚染水（泥水）中の放射性物質を吸着することができる凝集沈降剤、及び、この凝集沈降剤を用いた、放射性物質を含む土壌の除染方法を提供することにある。
【課題を解決するための手段】
【００２１】
請求項１に記載の凝集沈降剤は、放射性物質を含む土壌を洗浄した後の放射性物質を含む土壌細粒及び粘土シルトを含む放射能汚染水（泥水）に添加することで、放射性物質を含む土壌を洗浄した後の放射性物質を含む土壌細粒及び粘土シルトを含む放射能汚染水（泥水）中の、放射性物質を含む土壌細粒及び粘土シルトを共沈させるとともに、放射性物質を含む土壌を洗浄した後の放射性物質を含む土壌細粒及び粘土シルトを含む放射能汚染水（泥水）中の放射性物質を吸着することができる凝集沈降剤であって、主成分として、０．５ｍｍ以下の粒径を有するブライオゾーアを含む。
【００２２】
請求項２に記載の凝集沈降剤は、請求項１に記載の凝集沈降剤が、天然鉱物の複合アルミナ珪酸塩を主剤とする無機中性凝集剤を更に含む。
【００２３】
請求項３に記載の凝集沈降剤は、請求項１又は請求項２に記載の凝集沈降剤が、０．５ｍｍ以下の粒径のマイカ成分を更に含む。
【００２４】
請求項４に記載の凝集沈降剤は、請求項１〜３のいずれかに記載の凝集沈降剤の、マイカ成分が、バーミキュライトである。
【００２５】
請求項５に記載の放射性物質を含む土壌の除染方法は、放射性物質を含む土壌を水で洗浄し、水で洗浄後の土壌中の放射性物質が除去された無害な礫及び／又は砂は、土中に埋め戻し、放射性物質を含む土壌を洗浄した後の放射性物質を含む土壌細粒及び粘土シルトを含む放射能汚染水（泥水）に、請求項１〜４のいずれかに記載の凝集沈降剤を投入し、放射性物質を含む土壌を洗浄した後の放射性物質を含む土壌細粒及び粘土シルトを含む放射能汚染水（泥水）中の放射性物質を、請求項１〜４のいずれかに記載の凝集沈降剤に吸着させるとともに、放射性物質を吸着した請求項１〜４のいずれかに記載の凝集沈降剤と放射性物質を含む土壌細粒及び粘土シルトとを共沈させ、安全基準以下の値の放射性物質を含む水と、放射性物質を含む土壌を洗浄した後の放射性物質を含む土壌細粒及び粘土シルトを含む放射能汚染水（泥水）中の放射性物質を、請求項１〜４のいずれかに記載の凝集沈降剤に吸着させるとともに、放射性物質を吸着した請求項１〜４のいずれかに記載の凝集沈降剤と放射性物質を含む土壌細粒及び粘土シルトとの共沈物とに分離するようにした。
【００２６】
請求項６に記載の放射性物質を含む土壌の除染方法は、請求項５に記載の放射性物質を含む土壌の除染方法の、前記放射性物質を吸着した請求項１〜４のいずれかに記載の凝集沈降剤と放射性物質を含む土壌細粒及び粘土シルトとの共沈物を、密閉保管処理するようにした。
【００２７】
請求項７に記載の放射性物質を含む土壌の除染方法は、請求項５又は請求項６に記載の放射性物質を含む土壌の除染方法の、安全基準以下の値の放射性物質を含む水を、放射性物質を含む土壌を洗浄する水として再利用する。
【発明の効果】
【００２８】
請求項１に記載の凝集沈降剤では、０．５ｍｍ以下の粒径のブライオゾーアを用い、ブライオゾーア粒子の表面積を、大きくしている。
【００２９】
この結果、この凝集沈降剤は、この凝集沈降剤を、放射性物質を含む土壌を洗浄した後の放射性物質を含む土壌細粒及び粘土シルトを含む放射能汚染水（泥水）に添加した場合、放射性物質を含む土壌を洗浄した後の放射性物質を含む土壌細粒及び粘土シルトを含む放射能汚染水（泥水）中の放射性物質を吸着するのに優れている。
【００３０】
即ち、この凝集沈降剤は、ブライオゾーア粒子の直径を０．５ｍｍ以下にして、表面積を大きくした分、放射性物質を含む土壌を洗浄した後の放射性物質を含む土壌細粒及び粘土シルトを含む放射能汚染水（泥水）中から多くの放射性物質を除去することができる。
【００３１】
また、この凝集沈降剤は、この凝集沈降剤を放射性物質を含む土壌を洗浄した後の放射性物質を含む土壌細粒及び粘土シルトを含む放射能汚染水（泥水）中に添加した場合、ブライオゾーアと放射性物質を含む土壌を洗浄した後の放射性物質を含む土壌細粒及び粘土シルトとの共沈物が、乾燥後、固形状態になる。
【００３２】
即ち、この凝集沈降剤は、放射性物質を含む土壌を洗浄した後の放射性物質を含む土壌細粒及び粘土シルトを含む放射能汚染水（泥水）中に添加した場合、乾燥後の、ブライオゾーアと放射性物質を含む土壌を洗浄した後の放射性物質を含む土壌細粒及び粘土シルトとの共沈物が、風等によって飛散し難い固形物となるため、作業者が、ブライオゾーアと放射性物質を含む土壌を洗浄した後の放射性物質を含む土壌細粒及び粘土シルトとの共沈物を吸い込んで、内部被爆したり、周囲に飛散して環境を放射能汚染したりすることがない。
【００３３】
また、この凝集沈降剤を用いれば、放射性物質をブライオゾーアと放射性物質を含む土壌を洗浄した後の放射性物質を含む土壌細粒及び粘土シルトとの共沈物中に濃縮できるので、土壌から放射性物質を含む表土を剥ぎ取り、剥ぎ取った放射性物質を含む表土を、そのまま、仮置き場や中間処分場に保管する場合に比べ、仮置き場や中間貯蔵施設のスペースの削減や、運搬費用の削減をすることができる。
【００３４】
また、この凝集沈降剤を用いれば、放射性物質が、ブライオゾーアに固定化されるので、ブライオゾーアに、一旦、固定化された放射性物質が、ブライオゾーアと放射性物質を含む土壌を洗浄した後の放射性物質を含む土壌細粒及び粘土シルトとの共沈物を仮置き場や中間貯蔵施設に保管中に、ブライオゾーアから外部に漏れ出して、仮置き場や中間貯蔵施設の周辺を放射性物質で汚染することがない。
【００３５】
請求項２に記載の凝集沈降剤は、天然鉱物の複合アルミナ珪酸塩を主剤とする無機中性凝集剤を更に含んでいるので、イオン交換作用とミクロポーラス構造による物理吸着効果の相乗作用により、ブライオゾーアと、放射性物質を含む土壌を洗浄した後の放射性物質を含む土壌細粒及び粘土シルトを含む放射能汚染水（泥水）中の、放射性物質を含む土壌を洗浄した後の放射性物質を含む土壌細粒及び粘土シルトとのフロック化が速くなり、放射性物質を含む土壌を洗浄した後の放射性物質を含む土壌細粒及び粘土シルトを含む放射能汚染水（泥水）中から、ブライオゾーアと、放射性物質を含む土壌細粒及び粘土シルトとの共沈が、より短時間で、生じる。
【００３６】
即ち、この凝集沈降剤を用いれば、より短時間で、放射性物質を含む土壌の除染作業が行える。
【００３７】
請求項３に記載の凝集沈降剤は、０．５ｍｍ以下の粒径のマイカ成分を更に含んでいる。
【００３８】
セシウムイオンや、ストロンチウムイオンは、マイカ成分と不可逆的に結合するので、放射性物質を含む土壌を洗浄した後の放射性物質を含む土壌細粒及び粘土シルトを含む放射能汚染水（泥水）中に、放射性セシウム（セシウム１３７（Ｃｓ１３７）、セシウム１３５（Ｃｓ１３５）や、放射性ストロンチウム（ストロンチウム９０（Ｓｒ９０））等の放射性物質が存在していても、そのような放射性物質は、ブライオゾーア及びマイカ成分に吸着（固着）する。
【００３９】
且つ、この凝集沈降剤は、マイカ成分粒子を０．５ｍｍ以下の粒径にして、表面積を大きくした分、放射性物質は、より一層、マイカ成分に吸着（固着）する。
【００４０】
即ち、この凝集沈降剤を用いれば、放射性物質を含む土壌を洗浄した後の放射性物質を含む土壌細粒及び粘土シルトを含む放射能汚染水（泥水）中から、０．５ｍｍ以下の粒径のマイカ成分を添加した分、より一層、放射性物質の除去を行える。
【００４１】
請求項４に記載の凝集沈降剤は、マイカ成分として、バーミキュライトを用いている。
【００４２】
セシウムイオンや、ストロンチウムイオンは、バーミキュライトと不可逆的に結合するので、放射性物質を含む土壌を洗浄した後の放射性物質を含む土壌細粒及び粘土シルトを含む放射能汚染水（泥水）中に、放射性セシウム（セシウム１３７（Ｃｓ１３７）、セシウム１３５（Ｃｓ１３５）や、放射性ストロンチウム（ストロンチウム９０（Ｓｒ９０））等の放射性物質が存在していても、そのような放射性物質は、ブライオゾーア及びバーミキュライトに吸着（固着）する。
【００４３】
即ち、この凝集沈降剤を用いれば、放射性物質を含む土壌を洗浄した後の放射性物質を含む土壌細粒及び粘土シルトを含む放射能汚染水（泥水）中から、バーミキュライトを添加した分、より一層、放射性物質の除去を行える。
【００４４】
請求項５に記載の放射性物質を含む土壌の除染方法では、放射性物質を含む土壌を水で洗浄し、水で洗浄後の土壌中の放射性物質が除去された無害な礫及び／又は砂は、土中に埋め戻し、放射性物質を、請求項１〜４のいずれかに記載の凝集沈降剤中のブライオゾーアと、放射性物質を含む土壌細粒及び粘土シルトとの共沈物中に濃縮している。
【００４５】
即ち、この放射性物質を含む土壌の除染方法を用いれば、放射性物質をブライオゾーアと、放射性物質を含む土壌細粒及び粘土シルトとの共沈物に濃縮することにより、土壌から放射性物質を含む表土を剥ぎ取り、剥ぎ取った放射性物質を含む表土を、そのまま、仮置き場や中間処分場に保管する際に必要な仮置き場や中間貯蔵施設のスペースや、土壌から放射性物質を含む表土を剥ぎ取り、剥ぎ取った放射性物質を含む表土を、そのまま、仮置き場や中間処分場に運搬する際の運搬経費を有意に低減することができる。
【００４６】
請求項６に記載の放射性物質を含む土壌の除染方法では、放射性物質を吸着した請求項１〜４のいずれかに記載の凝集沈降剤と放射性物質を含む土壌細粒及び粘土シルトとの共沈物を、密閉保管処理するようにしているので、仮置き場や中間処理施設に、放射性物質を吸着した請求項１〜４のいずれかに記載の凝集沈降剤と放射性物質を含む土壌細粒及び粘土シルトとの共沈物を保管している際に、放射性物質を吸着した請求項１〜４のいずれかに記載の凝集沈降剤と放射性物質を含む土壌細粒及び粘土シルトとの共沈物が、仮置き場や中間処理施設の周辺に漏れ出すことがない。
【００４７】
且つ、この放射性物質を含む土壌の除染方法では、放射性物質を吸着した請求項１〜４のいずれかに記載の凝集沈降剤と放射性物質を含む土壌細粒及び粘土シルトとの共沈物を、密閉保管処理するようにしているので、仮置き場や中間処理施設に、放射性物質を吸着した請求項１〜４のいずれかに記載の凝集沈降剤と放射性物質を含む土壌細粒及び粘土シルトとの共沈物を保管している際に、万一、密閉容器が破損して、密閉容器から放射性物質を吸着した請求項１〜４のいずれかに記載の凝集沈降剤と放射性物質を含む土壌細粒及び粘土シルトとの共沈物が漏れ出しても、放射性物質を吸着した請求項１〜４のいずれかに記載の凝集沈降剤と放射性物質を含む土壌細粒及び粘土シルトとの共沈物から放射性物質が仮置き場や中間処理施設の周辺に漏れ出すことがないので、仮置き場や中間処理施設の周辺を放射性物質で汚染することがない。
【００４８】
請求項７に記載の放射性物質を含む土壌の除染方法では、安全基準以下の値の放射性物質を含む水を、放射性物質を含む土壌を洗浄する水として再利用するようにしているので、放射性物質を含む土壌を除染する際に使用する水が増えるのを低減することができる。
【発明を実施するための形態】
【００４９】
以下、本発明に係る凝集沈降剤及び本発明に係る放射性物質を含む土壌の除染方法を、例示的に、更に詳しく説明する。
１．ブライオゾーア化石について
ブライオゾーア化石自体の成分を、表１及び表２に示す。
【００５０】
分析はいずれも「北海道立中央農業試験場環境化学部土壌生態科」による。
【００５１】
【表１】
2014119443.tif 000002
【００５２】
【表２】
2014119443.tif 000003
ブライオゾーア化石は、活性炭と比べ約１／５（体積比）という驚異的な吸着力を有することが知られている。
【００５３】
また、ブライオゾーア化石は、重金属類の吸着に効果を発揮する（例えば、カドミウムの吸着量：２３．５〜２７．０ｍｇ／ｇ、
水銀の吸着量：２０．０〜２４．０ｍｇ／ｇ）。
【００５４】
ブライオゾーア化石は、重金属類を、単なるイオン交換作用ではなく、重金属類を不溶性物質として固定化する。即ち、ブライオゾーア化石に、一旦、固定化された重金属類は、ブライオゾーアから外部に漏れ出ることがない。
【００５５】
ブライオゾーア化石は、河川湖沼の水質汚濁物質をフロック化させて、凝集沈降させる。
【００５６】
ブライオゾーア化石は、日本では、北海道阿寒町でしか出土が認められず、新第三期層の触手動物の一綱、または、擬軟体動物の一綱とされる独立した一門とされているが、この鮮苔虫類の化石がブライオゾーアそのもので、一般的な貝化石とはまったく異質のものである。
【００５７】
ブライオゾーアは、指で容易に剥離できる状態であり、簡単に、粉体加工することができる。
【００５８】
また、ブライオゾーアは、天然に存在し自然界に無害である。
【００５９】
北海道立中央農業試験場の分析によって、水銀、砒素、カドミウム、鉛は検出されていないことが確認されている。
２．本発明に係る凝集沈降剤の作製
まず、ブライオゾーア化石を露天掘りによる採掘した。
【００６０】
次に、ブライオゾーア化石を、１００℃の乾燥炉にて加熱（水分調整）した。
【００６１】
これにより、ブライオゾーア化石は、その原単位である約１．０ｍｍの粉体になった。
【００６２】
次に、１．０ｍｍメッシュのフィルターとバキュームで選り分け、トップ粒度１ｍｍ以下のブライオゾーアの粉体を得た（以下、「試料１」という。）。
【００６３】
次に、トップ粒度１．０ｍｍ以下のブライオゾーアの粉体を、超音波を用いて、更に、粉砕した。
【００６４】
次に、トップ粒度１．０ｍｍ以下のブライオゾーアの粉体を、超音波を用いて、更に、粉砕したものを、０．８ｍｍメッシュのフィルターとバキュームで選り分け、トップ粒度１．０ｍｍ以下のブライオゾーアの粉体を得た（以下、「試料２」という。）。
【００６５】
また、トップ粒度１．０ｍｍ以下のブライオゾーアの粉体を、超音波を用いて、更に、粉砕したものを、０．６ｍｍメッシュのフィルターとバキュームで選り分け、トップ粒度１．０ｍｍ以下のブライオゾーアの粉体を得た（以下、「試料３」という。）。
【００６６】
また、トップ粒度１．０ｍｍ以下のブライオゾーアの粉体を、超音波を用いて、更に、粉砕したものを、０．５ｍｍメッシュのフィルターとバキュームで選り分け、トップ粒度１．０ｍｍ以下のブライオゾーアの粉体を得た（以下、「試料４」という。）。
【００６７】
また、トップ粒度１．０ｍｍ以下のブライオゾーアの粉体を、超音波を用いて、更に、粉砕したものを、０．４ｍｍメッシュのフィルターとバキュームで選り分け、トップ粒度１．０ｍｍ以下のブライオゾーアの粉体を得た（以下、「試料５」という。）。
【００６８】
また、トップ粒度１．０ｍｍ以下のブライオゾーアの粉体を、超音波を用いて、更に、粉砕したものを、０．３ｍｍメッシュのフィルターとバキュームで選り分け、トップ粒度１．０ｍｍ以下のブライオゾーアの粉体を得た（以下、「試料６」という。）。
３．本発明に係る凝集沈降剤の放射性セシウムの除去試験
（１）３００ｍＬのガラス製ビーカー内に１５０ｐｐｍの塩化セシウムを含有する１５０ｍＬの人工海水を調製した（以下、この溶液を、「試験液」という。）。
【００６９】
次に、この試験液に、「試料１」を２５０ｍｇを添加し、１５分間攪拌した。その後、ネオジム磁石から構成されるマグネットバー（１テスラ：二六製作所製）を挿入後、ウェーブミキサー(ＷＥＢ−３０； アズワン社製、大阪)を用いて攪拌（最大振幅の４０％、最大回転数の４０％の出力）した。５分後にＩＣＰ−ＭＳ（島津製作所製）を用いて、塩化セシウム濃度（以下、「試験液の処理後の塩化セシウム濃度」という。）を測定した。
【００７０】
次に、試験液の処理前（１５０ｐｐｍ）の塩化セシウム濃度と、試験液の処理後の塩化セシウム濃度とから、試験液中からのセシウムの除去率（％）を求めた。
（２）３００ｍＬのガラス製ビーカー内に１５０ｐｐｍの塩化セシウムを含有する１５０ｍＬの人工海水を調製した（以下、この溶液を、「試験液」という。）。
【００７１】
次に、この試験液に、「試料２」を２５０ｍｇを添加し、１５分間攪拌した。その後、ネオジム磁石から構成されるマグネットバー（１テスラ：二六製作所製）を挿入後、ウェーブミキサー(ＷＥＢ−３０； アズワン社製、大阪)を用いて攪拌（最大振幅の４０％、最大回転数の４０％の出力）した。５分後にＩＣＰ−ＭＳ（島津製作所製）を用いて、塩化セシウム濃度（以下、「試験液の処理後の塩化セシウム濃度」という。）を測定した。
【００７２】
次に、試験液の処理前（１５０ｐｐｍ）の塩化セシウム濃度と、試験液の処理後の塩化セシウム濃度とから、試験液中からのセシウムの除去率（％）を求めた。
（３）３００ｍＬのガラス製ビーカー内に１５０ｐｐｍの塩化セシウムを含有する１５０ｍＬの人工海水を調製した（以下、この溶液を、「試験液」という。）。
【００７３】
次に、この試験液に、「試料３」を２５０ｍｇを添加し、１５分間攪拌した。その後、ネオジム磁石から構成されるマグネットバー（１テスラ：二六製作所製）を挿入後、ウェーブミキサー(ＷＥＢ−３０； アズワン社製、大阪)を用いて攪拌（最大振幅の４０％、最大回転数の４０％の出力）した。５分後にＩＣＰ−ＭＳ（島津製作所製）を用いて、塩化セシウム濃度（以下、「試験液の処理後の塩化セシウム濃度」という。）を測定した。
【００７４】
次に、試験液の処理前（１５０ｐｐｍ）の塩化セシウム濃度と、試験液の処理後の塩化セシウム濃度とから、試験液中からのセシウムの除去率（％）を求めた。
（４）３００ｍＬのガラス製ビーカー内に１５０ｐｐｍの塩化セシウムを含有する１５０ｍＬの人工海水を調製した（以下、この溶液を、「試験液」という。）。
【００７５】
次に、この試験液に、「試料４」を２５０ｍｇを添加し、１５分間攪拌した。その後、ネオジム磁石から構成されるマグネットバー（１テスラ：二六製作所製）を挿入後、ウェーブミキサー(ＷＥＢ−３０； アズワン社製、大阪)を用いて攪拌（最大振幅の４０％、最大回転数の４０％の出力）した。５分後にＩＣＰ−ＭＳ（島津製作所製）を用いて、塩化セシウム濃度（以下、「試験液の処理後の塩化セシウム濃度」という。）を測定した。
次に、試験液の処理前（１５０ｐｐｍ）の塩化セシウム濃度と、試験液の処理後の塩化セシウム濃度とから、試験液中からのセシウムの除去率（％）を求めた。
（５）３００ｍＬのガラス製ビーカー内に１５０ｐｐｍの塩化セシウムを含有する１５０ｍＬの人工海水を調製した（以下、この溶液を、「試験液」という。）。
【００７６】
次に、この試験液に、「試料５」を２５０ｍｇを添加し、１５分間攪拌した。その後、ネオジム磁石から構成されるマグネットバー（１テスラ：二六製作所製）を挿入後、ウェーブミキサー(ＷＥＢ−３０； アズワン社製、大阪)を用いて攪拌（最大振幅の４０％、最大回転数の４０％の出力）した。５分後にＩＣＰ−ＭＳ（島津製作所製）を用いて、塩化セシウム濃度（以下、「試験液の処理後の塩化セシウム濃度」という。）を測定した。
【００７７】
次に、試験液の処理前（１５０ｐｐｍ）の塩化セシウム濃度と、試験液の処理後の塩化セシウム濃度とから、試験液中からのセシウムの除去率（％）を求めた。
（６）３００ｍＬのガラス製ビーカー内に１５０ｐｐｍの塩化セシウムを含有する１５０ｍＬの人工海水を調製した（以下、この溶液を、「試験液」という。）。
【００７８】
次に、この試験液に、「試料５」を２５０ｍｇを添加し、１５分間攪拌した。その後、ネオジム磁石から構成されるマグネットバー（１テスラ：二六製作所製）を挿入後、ウェーブミキサー(ＷＥＢ−３０； アズワン社製、大阪)を用いて攪拌（最大振幅の４０％、最大回転数の４０％の出力）した。５分後にＩＣＰ−ＭＳ（島津製作所製）を用いて、塩化セシウム濃度（以下、「試験液の処理後の塩化セシウム濃度」という。）を測定した。
次に、試験液の処理前（１５０ｐｐｍ）の塩化セシウム濃度と、試験液の処理後の塩化セシウム濃度とから、試験液中からのセシウムの除去率（％）を求めた。
【００７９】
結果を、表３に示す。
【００８０】
【表３】
2014119443.tif 000004
表３の結果から、ブライオゾーアは、その粒径を、０．５ｍｍ以下にすると、Ｃｓの除去率が高くなることが、明らかになった。
【００８１】
本発明に係る凝集沈降剤で用いるブライオゾーアの粒径の下限値は、特に、限定されることはないが、ブライオゾーアを粉砕した場合、ブライオゾーアの下限値は、０．１ｍｍぐらいであると考えられる。
【００８２】
即ち、本発明に係る凝集沈降剤で用いるブライオゾーアは、その粒径は、０．１ｍｍ０．５ｍｍ以下の範囲にあるものを用いるのが好ましい。
４．凝集沈降剤の作製及び除染効果について
次に、トップ粒度０．５ｍｍ以下のブライオゾーア化石に、天然鉱物の複合アルミナ珪酸塩を主剤とする無機中性凝集剤を混合した凝集沈降剤（ブライオゾーア：無機中性凝集剤＝９：１の混合比）を作製した。
【００８３】
この凝集沈降剤の成分を、表４に示す。
【００８４】
【表４】
2014119443.tif 000005
次に、２０１１年５月１５日に、福島県相馬郡飯舘村立草野小学校の学校グランドにおいて、学校グランドの表層土（放射性物質に汚染された汚染土壌）（土壌の表層（表土）から深さ：１０ｃｍ以内の土砂）２０ｋｇを採取した。
【００８５】
尚、この学校グランドの表層土（放射性物質に汚染された汚染土壌）（土壌の表層（表土）から深さ：１０ｃｍ以内の土砂）は、セシウム１３７が８３，６００Ｂｑ／リットル（Ｌｉｔｅｒ）、セシウム１３４が７３，１００Ｂｑ／リットル（Ｌｉｔｅｒ）であった。
【００８６】
次に、放射性物質に汚染された汚染土壌を、水を用いて、洗浄した。
【００８７】
放射性物質に汚染された汚染土壌の水による洗浄は、水による洗浄後の、放射性物質に汚染された汚染土壌中の礫及び／又は砂の放射性セシウムが、８．０００Ｂｑ／ｋｇ未満になるまで行った。
【００８８】
次に、放射性物質に汚染された汚染土壌を洗浄した後の、放射性物質を含む土壌細粒及び粘土シルトを含む放射能汚染水（泥水）をタンク内に収容した。
【００８９】
次に、放射性物質に汚染された汚染土壌を洗浄した後の、放射性物質を含む土壌細粒及び粘土シルトを含む放射能汚染水（泥水）に、トップ粒度０．５ｍｍ以下のブライオゾーア化石に、天然鉱物の複合アルミナ珪酸塩を主剤とする無機中性凝集剤を混合した凝集沈降剤（ブライオゾーア：無機中性凝集剤＝９：１の混合比）を添加した。
【００９０】
この試験では、トップ粒度０．５ｍｍ以下のブライオゾーア化石に、天然鉱物の複合アルミナ珪酸塩を主剤とする無機中性凝集剤を混合した凝集沈降剤（ブライオゾーア：無機中性凝集剤＝９：１の混合比）は、放射性物質に汚染された汚染土壌を洗浄した後の、放射性物質を含む土壌細粒及び粘土シルトを含む放射能汚染水（泥水）に対し、１ｋｇ／ｍ３の量で使用した。
【００９１】
放射性物質を含む土壌を洗浄した後の放射性物質を含む土壌細粒及び粘土シルトを含む放射能汚染水（泥水）に、トップ粒度０．５ｍｍ以下のブライオゾーア化石に、天然鉱物の複合アルミナ珪酸塩を主剤とする無機中性凝集剤を混合した凝集沈降剤（ブライオゾーア：無機中性凝集剤＝９：１の混合比）を添加した後、この溶液を、十分攪拌した後、１日間、静置することで、放射性物質を吸着したブライオゾーアと放射性物質を含む土壌細粒及び粘土シルトとを共沈させた。
【００９２】
次に、放射性物質を吸着したブライオゾーアと放射性物質を含む土壌細粒及び粘土シルトとを共沈させた溶液の上澄み液を除去し、放射性物質を吸着したブライオゾーアと放射性物質を含む土壌細粒及び粘土シルトとを共沈物を脱水機により脱水し、放射性物質を吸着したブライオゾーアと放射性物質を含む土壌細粒及び粘土シルトとを共沈物を得た。
【００９３】
この共沈物は、０．５ｍｍ〜２．０ｍｍ程度の固形状態になっていた。
【００９４】
次に、放射性物質を吸着したブライオゾーアと放射性物質を含む土壌細粒及び粘土シルトとを共沈物１２７．８ｇをＵ−８容器に密閉し、ガンマ線核種の測定（室温２８℃、湿度５５％）を行った。
【００９５】
測定器として、ＧＥＭ−２０−Ｓ，７６００−０００マルチチャンネル（ＯＲＴＣ社製）を用い、Ｕ−８容器に密閉した放射性物質を吸着したブライオゾーアと放射性物質を含む土壌細粒及び粘土シルトとを共沈物中に含まれるガンマ線核種を、３時間計測した。
【００９６】
結果を、表５に示す。
【００９７】
【表５】
2014119443.tif 000006
５．放射性物質を吸着したブライオゾーアと放射性物質を含む土壌細粒及び粘土シルトとを共沈物の放射性セシウムの溶出特性試験（ＪＩＳ  Ｋ００５８−１有姿攪拌試験）
次に、放射性物質を吸着したブライオゾーアと放射性物質を含む土壌細粒及び粘土シルトとを共沈物の放射性セシウムの溶出特性試験（ＪＩＳ  Ｋ００５８−１有姿攪拌試験）を行った。
【００９８】
試料（放射性物質を吸着したブライオゾーアと放射性物質を含む土壌細粒及び粘土シルトとを共沈物）を有姿のまま容器に入れ、１０倍量（Ｌ／ｋｇ）の純水を入れた後に上部の液相部分をプロペラで攪拌するＪＩＳ  Ｋ００５８−１有姿攪拌試験を行った。
【００９９】
試料（放射性物質を吸着したブライオゾーアと放射性物質を含む土壌細粒及び粘土シルトとを共沈物）の純水への溶出操作は、６時間、行った。
【０１００】
次に、試料（放射性物質を吸着したブライオゾーアと放射性物質を含む土壌細粒及び粘土シルトとを共沈物）の純水への溶出操作を行った後の溶液を０．４５μｍのメンブレンフィルターを用いて濾過し、濾液を得た。
【０１０１】
次に、以上の操作により得た濾液３５０ｍｌを検体とし、ＥＭＦ２１１型ガンマ線スペクトルメータ（ＥＭジャパン株式会社製）を用い、濾液中の放射性セシウム（Ｃｓ１３４，Ｃｓ１３７）の核種測定を行った。
【０１０２】
この濾液中の放射性セシウム（Ｃｓ１３４，Ｃｓ１３７）の放射性セシウム（Ｃｓ１３４，Ｃｓ１３７）は、測定下限値（５Ｂｑ／ｋｇ）以下であった。
【０１０３】
以上、詳細に説明した通り、本発明に係る凝集沈降剤では、０．５ｍｍ以下の粒径のブライオゾーアを用い、ブライオゾーア粒子の表面積を、大きくしている。
【０１０４】
この結果、本発明に係る凝集沈降剤は、放射性物質を含む土壌を洗浄した後の放射性物質を含む土壌細粒及び粘土シルトを含む放射能汚染水（泥水）に添加した場合、放射性物質を含む土壌を洗浄した後の放射性物質を含む土壌細粒及び粘土シルトを含む放射能汚染水（泥水）中の放射性物質を吸着するのに優れている。
【０１０５】
また、本発明に係る凝集沈降剤は、放射性物質を含む土壌を洗浄した後の放射性物質を含む土壌細粒及び粘土シルトを含む放射能汚染水（泥水）中に添加した場合、ブライオゾーアと放射性物質を含む土壌を洗浄した後の放射性物質を含む土壌細粒及び粘土シルトとの共沈物は、乾燥後、固形状態になる。
【０１０６】
即ち、この凝集沈降剤は、放射性物質を含む土壌を洗浄した後の放射性物質を含む土壌細粒及び粘土シルトを含む放射能汚染水（泥水）中に添加した場合、乾燥後の、ブライオゾーアと放射性物質を含む土壌を洗浄した後の放射性物質を含む土壌細粒及び粘土シルトとの共沈物が、風等によって飛散し難い固形物となるため、作業者が、ブライオゾーアと放射性物質を含む土壌を洗浄した後の放射性物質を含む土壌細粒及び粘土シルトとの共沈物を吸い込んで、内部被爆したり、周囲に飛散して環境を放射能汚染したりすることがない。
【０１０７】
また、この凝集沈降剤を用いれば、放射性物質をブライオゾーアと放射性物質を含む土壌を洗浄した後の放射性物質を含む土壌細粒及び粘土シルトとの共沈物中に濃縮できるので、土壌から放射性物質を含む表土を剥ぎ取り、剥ぎ取った放射性物質を含む表土を、そのまま、仮置き場や中間処分場に保管する場合に比べ、仮置き場や中間貯蔵施設のスペースの削減や、運搬費用の削減をすることができる。
【０１０８】
また、この凝集沈降剤を用いれば、放射性物質が、ブライオゾーアに固定化されるので、ブライオゾーアに、一旦、固定化された放射性物質が、ブライオゾーアと放射性物質を含む土壌を洗浄した後の放射性物質を含む土壌細粒及び粘土シルトとの共沈物を仮置き場や中間貯蔵施設に保管中に、ブライオゾーアから外部に漏れ出して、仮置き場や中間貯蔵施設の周辺を放射性物質で汚染することがない。
【０１０９】
また、この凝集沈降剤に、天然鉱物の複合アルミナ珪酸塩を主剤とする無機中性凝集剤を含ませた場合は、イオン交換作用とミクロポーラス構造による物理吸着効果の相乗作用により、ブライオゾーアと、放射性物質を含む土壌を洗浄した後の放射性物質を含む土壌細粒及び粘土シルトを含む放射能汚染水（泥水）中の、放射性物質を含む土壌を洗浄した後の放射性物質を含む土壌細粒及び粘土シルトとのフロック化が速くなり、放射性物質を含む土壌を洗浄した後の放射性物質を含む土壌細粒及び粘土シルトを含む放射能汚染水（泥水）中から、ブライオゾーアと、放射性物質を含む土壌細粒及び粘土シルトとの共沈が、より短時間で、生じる。即ち、天然鉱物の複合アルミナ珪酸塩を主剤とする無機中性凝集剤を更に含む凝集沈降剤を用いれば、より短時間で、放射性物質を含む土壌の除染作業が行える。
【０１１０】
天然鉱物の複合アルミナ珪酸塩を主剤とする無機中性凝集剤は、特に、以下の場合に限定されることはないが、ブライオゾーア１００重量部に対し、５重量部以上２０重量部以下の範囲になるように配合するのが好ましい。
【０１１１】
更に、この凝集沈降剤に、マイカ成分を含ませても良い。
【０１１２】
マイカ成分としては、例えば、バーミキュライトを、その好ましい例として挙げることができる。
【０１１３】
放射性物質は、より一層、マイカ成分に吸着（固着）させるためには、マイカ成分粒子をトップ粒度０．５ｍｍ以下にすることが好ましい。
【０１１４】
セシウムイオンや、ストロンチウムイオンは、マイカ成分と不可逆的に結合するので、放射性物質を含む土壌を洗浄した後の放射性物質を含む土壌細粒及び粘土シルトを含む放射能汚染水（泥水）中に、放射性セシウム（セシウム１３７（Ｃｓ１３７）、セシウム１３５（Ｃｓ１３５）や、放射性ストロンチウム（ストロンチウム９０（Ｓｒ９０））等の放射性物質が存在していても、そのような放射性物質は、ブライオゾーア及びマイカ成分に吸着（固着）させることができる。
【０１１５】
トップ粒度０．５ｍｍ以下のマイカ成分は、特に、以下の場合に限定されることはないが、ブライオゾーア１００重量部に対し、５重量部以上２０重量部以下の範囲になるように配合するのが好ましい。
【０１１６】
放射性物質を含む土壌の除染は、放射性物質を含む土壌を高圧水洗浄し、水で洗浄後の土壌中の放射性物質が除去された無害な礫及び／又は砂は、例えば、放射性セシウムが、８．０００Ｂｑ／ｋｇ以下になっていることを確認し、土中に埋め戻す。
【０１１７】
放射性物質を含む土壌を洗浄した後の放射性物質を含む土壌細粒及び粘土シルトを含む放射能汚染水（泥水）は、ポンプ等を用い、沈殿槽（タンク）に収容する。
【０１１８】
次に、沈殿槽（タンク）に収容した放射性物質を含む土壌を洗浄した後の放射性物質を含む土壌細粒及び粘土シルトを含む放射能汚染水（泥水）に、本発明に係る凝集沈降剤を投入した後、この溶液を、十分攪拌した後、放射性物質を吸着したブライオゾーアと放射性物質を含む土壌細粒及び粘土シルトとを共沈させる。
【０１１９】
本発明に係る凝集沈降剤が、天然鉱物の複合アルミナ珪酸塩を主剤とする無機中性凝集剤を含んでいる場合は、沈殿槽（タンク）に収容した放射性物質を含む土壌を洗浄した後の放射性物質を含む土壌細粒及び粘土シルトを含む放射能汚染水（泥水）に、本発明に係る凝集沈降剤を投入した後、この溶液を、十分攪拌した後、１分から３０分もすれば、放射性物質を吸着したブライオゾーアと放射性物質を含む土壌細粒及び粘土シルトが共沈する。
【０１２０】
一方、本発明に係る凝集沈降剤が、天然鉱物の複合アルミナ珪酸塩を主剤とする無機中性凝集剤を含んでいない場合は、沈殿槽（タンク）に収容した放射性物質を含む土壌を洗浄した後の放射性物質を含む土壌細粒及び粘土シルトを含む放射能汚染水（泥水）に、本発明に係る凝集沈降剤を投入した後、この溶液を、十分攪拌した後、１〜３日間、静置すれば、放射性物質を吸着したブライオゾーアと放射性物質を含む土壌細粒及び粘土シルトが共沈する。
【０１２１】
本発明に係る凝集沈降剤は、放射性物質を含む土壌を洗浄した後の放射性物質を含む土壌細粒及び粘土シルトを含む放射能汚染水（泥水）１ｍ３に対し、通常は、１ｋｇ〜１００ｋｇ／ｍ３を目安に用いるが、必要により、１ｋｇ〜２００ｋｇ／ｍ３を目安に用いてもよい。
【０１２２】
放射性物質を含む土壌を洗浄した後の放射性物質を含む土壌細粒及び粘土シルトを含む放射能汚染水（泥水）中の放射性物質を、本発明に係る凝集沈降剤に吸着させるとともに、放射性物質を吸着した本発明に係る凝集沈降剤と放射性物質を含む土壌細粒及び粘土シルトとを共沈させた後、例えば、脱水ろ過機を用い、放射性物質を含む土壌を洗浄した後の水と、放射性物質を含む土壌細粒及び粘土シルトを含む放射能汚染水（泥水）中の放射性物質を、本発明に係る凝集沈降剤に吸着させるとともに、放射性物質を吸着した本発明に係る凝集沈降剤と放射性物質を含む土壌細粒及び粘土シルトとの共沈物とに分離する。
【０１２３】
放射性物質を含む土壌を洗浄した後の水は、放射性物質が、安全基準値（例えば、５０Ｂｑ／リットル（Ｌｉｔｅｒ）以下であることを確認し、又は、安全基準値（例えば、５０Ｂｑ／リットル（Ｌｉｔｅｒ）以下になるように水で希釈した後、放流する。
【０１２４】
放射性物質を含む土壌を洗浄した後の放射性物質を含む土壌細粒及び粘土シルトを含む放射能汚染水（泥水）中の放射性物質を、本発明に係る凝集沈降剤に吸着させるとともに、放射性物質を吸着した本発明に係る凝集沈降剤と放射性物質を含む土壌細粒及び粘土シルトとの共沈物は、密閉容器に入れて、仮置き場や中間処理施設に、保管する。
【０１２５】
放射性物質を吸着した本発明に係る凝集沈降剤と放射性物質を含む土壌細粒及び粘土シルトとの共沈物は、密閉容器に入れて、仮置き場や中間処理施設に、保管するようにすれば、仮置き場や中間処理施設に、放射性物質を吸着した本発明に係る凝集沈降剤と放射性物質を含む土壌細粒及び粘土シルトとの共沈物を保管している際に、放射性物質を吸着した本発明に係る凝集沈降剤と放射性物質を含む土壌細粒及び粘土シルトとの共沈物が、仮置き場や中間処理施設の周辺に漏れ出すことがない。
【０１２６】
また、放射性物質を吸着した本発明に係る凝集沈降剤と放射性物質を含む土壌細粒及び粘土シルトとの共沈物は、一旦、固着した放射性物質が、共沈物から放射性物質が溶出することがないので、仮置き場や中間処理施設に、放射性物質を吸着した請求項１〜４のいずれかに記載の凝集沈降剤と放射性物質を含む土壌細粒及び粘土シルトとの共沈物を密閉容器内に収容して保管している際に、万一、密閉容器が破損して、密閉容器から放射性物質を吸着した本発明に係る凝集沈降剤と放射性物質を含む土壌細粒及び粘土シルトとの共沈物が漏れ出しても、放射性物質を吸着した本発明に係る凝集沈降剤と放射性物質を含む土壌細粒及び粘土シルトとの共沈物から放射性物質が仮置き場や中間処理施設の周辺に漏れ出すことがないので、仮置き場や中間処理施設の周辺を放射性物質で汚染することがない。
【０１２７】
また、安全基準以下の値に調整した洗浄水を、放射性物質を含む土壌を洗浄する水として再利用するようにしてもよい。
【０１２８】
このようにすれば、放射性物質を含む土壌を除染する際に使用する水が増えるのを低減することができる。
【０１２９】
尚、「ブライオゾーア」は、苔虫類の化石の名称であるとともに、花田義和の登録商標である。
【産業上の利用可能性】
【０１３０】
本発明に係る凝集沈降剤を用いれば、土壌から放射性物質を含む表土を剥ぎ取り、剥ぎ取った放射性物質を含む表土を、そのまま、仮置き場や中間処分場に保管する際に必要な仮置き場や中間貯蔵施設のスペースや、土壌から放射性物質を含む表土を剥ぎ取り、剥ぎ取った放射性物質を含む表土を、そのまま、仮置き場や中間処分場に運搬する際の運搬経費を有意に低減することができ、且つ、本発明に係る凝集沈降剤は、放射性物質が、ブライオゾーアに固定化されるので、ブライオゾーアに、一旦、固定化された放射性物質が、ブライオゾーアと放射性物質を含む土壌を洗浄した後の放射性物質を含む土壌細粒及び粘土シルトとの共沈物を仮置き場や中間貯蔵施設に保管中に、ブライオゾーアから外部に漏れ出して、仮置き場や中間貯蔵施設の周辺を放射性物質で汚染することがないので、産業上利用可能性が高い。